(57)【要約】【課題】従来よりも撮像部の台数を減らしても、同程度あるいはそれ以上の精度で欠点を検出できる光学表示パネルの連続検査方法およびその連続検査装置を提供する。【解決手段】光学表示パネルの連続検査方法は、光学表示パネルの搬送方向に対し直交方向である当該光学表示パネルの幅方向と平行な第一ライン状光を、光学表示パネルの一方面に対して垂直から第一角度（θ１）で搬送方向上流側に傾斜した方向から光学表示パネルのライン検査領域に照射する第一照射工程と、光学表示パネルの幅方向と平行な第二ライン状光を、光学表示パネルの一方面に対して垂直から第二角度（θ２）で搬送方向下流側に傾斜した方向から、ライン検査領域に照射する第二照射工程と、第一ライン状光および第二ライン状光が照射されたライン検査領域を、一の撮像部で光学表示パネルの幅方向と平行なライン状にかつ連続的に撮像する撮像工程とを含む。【選択図】図１
2019120848.tif 000002
【特許請求の範囲】
【請求項１】
光学機能フィルムを少なくとも有する光学フィルムが両面または片面に設けられている光学表示パネルを搬送している状態で連続的に光学的に検査する光学表示パネルの連続検査方法であって、
前記光学表示パネルの搬送方向に対し直交方向である当該光学表示パネルの幅方向と平行な第一ライン状光を照射する第一照射部を用い、当該光学表示パネルの一方面に対して垂直から第一角度（θ１）で搬送方向上流側に傾斜した方向から、搬送されている当該光学表示パネルのライン検査領域に当該第一ライン状光を照射する第一照射工程と、
前記光学表示パネルの搬送方向に対し直交方向である当該光学表示パネルの幅方向と平行な第二ライン状光を照射する第二照射部を用い、当該光学表示パネルの一方面に対して垂直から第二角度（θ２）で搬送方向下流側に傾斜した方向から、搬送されている当該光学表示パネルの前記ライン検査領域に当該第二ライン状光を照射する第二照射工程と、
前記第一ライン状光および前記第二ライン状光が照射された前記ライン検査領域を、一の撮像部で、前記光学表示パネルの他方面から当該光学表示パネルの幅方向と平行なライン状にかつ連続的に撮像する撮像工程と、
を含む光学表示パネルの連続検査方法。
【請求項２】
前記撮像工程は、前記ライン検査領域を、前記光学表示パネルの他方面から当該ライン検査領域に対応した撮像領域が画定されているスリット部を介在させて撮像する、請求項１に記載の光学表示パネルの連続検査方法。
【請求項３】
前記撮像部は、前記光学表示パネルの他方面に対し垂直方向に配置される、請求項１または２に記載の光学表示パネルの連続検査方法。
【請求項４】
前記第一照射工程および第二照射工程において、前記第一角度（θ１）と前記第二角度（θ２）が同じ値であり、前記第一ライン状光の照射方向と前記第二ライン状光の照射方向が対称である、請求項１〜３のいずれか１項に記載の光学表示パネルの連続検査方法。
【請求項５】
前記光学フィルムが片面に設けられている光学表示パネルを搬送している状態で連続的に光学的に検査する場合に、前記光学フィルムに含まれる光学機能フィルムの光軸に対応した光軸を有する検査用フィルタを、前記第一、第二照射部と前記一の撮像部との間で、かつ前記光学フィルムが設けられている光学表示パネルの一方面と異なる他方面から所定距離を設けて配置し、撮像を行う、請求項１〜４のいずれか１項に記載の光学表示パネルの連続検査方法。
【請求項６】
光学機能フィルムを少なくとも有する光学フィルムが両面または片面に設けられている光学表示パネルを搬送している状態で連続的に光学的に検査する光学表示パネルの連続検査装置であって、
前記光学表示パネルの搬送方向に対し直交方向である当該光学表示パネルの幅方向と平行な第一ライン状光を、当該光学表示パネルの一方面に対して垂直から第一角度（θ１）で搬送方向上流側に傾斜した方向から、搬送されている当該光学表示パネルのライン検査領域に照射する第一照射部と、
前記光学表示パネルの搬送方向に対し直交方向である当該光学表示パネルの幅方向と平行な第二ライン状光を、当該光学表示パネルの一方面に対して垂直から第二角度（θ２）で搬送方向下流側に傾斜した方向から、搬送されている当該光学表示パネルの前記ライン検査領域に照射する第二照射部と、
前記第一ライン状光および前記第二ライン状光が照射された前記ライン検査領域を、前記光学表示パネルの他方面から当該光学表示パネルの幅方向と平行なライン状にかつ連続的に撮像する一の撮像部と、
を有する光学表示パネルの連続検査装置。
【請求項７】
前記光学表示パネルの他方面側に配置され、かつ前記ライン検査領域に対応した撮像領域が画定されているスリット部をさらに有し、
前記撮像部は、前記スリット部を介在させて撮像する、請求項６に記載の光学表示パネルの連続検査装置。
【請求項８】
前記撮像部は、前記光学表示パネルの他方面に対し垂直方向に配置される、請求項６または７に記載の光学表示パネルの連続検査装置。
【請求項９】
前記第一角度（θ１）と前記第二角度（θ２）が同じ値であり、前記第一ライン状光の照射方向と前記第二ライン状光の照射方向が対称であるように前記第一照射部と前記第二照射部が配置される、請求項６〜８のいずれか１項に記載の光学表示パネルの連続検査装置。
【請求項１０】
前記光学フィルムが片面に設けられている光学表示パネルを搬送している状態で連続的に光学的に検査する場合に、前記第一、第二照射部と前記一の撮像部との間であって、前記光学フィルムが設けられている光学表示パネルの一方面と異なる他方面と所定距離を設け、かつ前記光学フィルムに含まれる光学機能フィルムの光軸と所定の配置関係となるように設けられる検査用フィルタを、さらに有する、請求項６〜９のいずれか１項に記載の光学表示パネルの連続検査装置。
【請求項１１】
光学機能フィルムを少なくとも有する第一光学フィルムを光学セルの第一面に貼り合せ、かつ光学機能フィルムを少なくとも有する第二光学フィルムを光学セルの第二面に貼り合せて光学表示パネルを製造する製造工程と、
前記請求項１〜５のいずれか一項に記載の光学表示パネルの連続検査方法に含まれる工程と、を含み、
前記製造工程と前記連続検査方法に含まれる工程とが前記光学セルおよび光学表示パネルを搬送する一連の搬送装置で行われる、光学表示パネルの連続製造方法。
【請求項１２】
前記製造工程は、
第一光学フィルムロールから第一長尺光学フィルムを繰り出しながら長尺の第一離型フィルムを残し前記第一長尺光学フィルムを切断して得られる枚葉状の第一光学フィルムを、搬送される前記光学セルの前記第一面に貼り付ける、または、枚葉状の第一光学フィルムを前記光学セルの第一面に貼り付ける、
および／または
第二光学フィルムロールから第二長尺光学フィルムを繰り出しながら長尺の第二離型フィルムを残し前記第二長尺光学フィルムを切断して得られる枚葉状の第二光学フィルムを、前記第一光学フィルムの光軸と前記第二光学フィルムの光軸とが所定の角度配置となるように、搬送される前記光学セルの前記第二面に貼り付ける、または、枚葉状の第二光学フィルムを前記第一光学フィルムの光軸と前記第二光学フィルムの光軸とが所定の角度配置となるように前記光学セルの前記第二面に貼り付ける、請求項１１に記載の光学表示パネルの連続製造方法。
【請求項１３】
光学機能フィルムを少なくとも有する第一光学フィルムを光学セルの第一面に貼り合せ、かつ光学機能フィルムを少なくとも有する第二光学フィルムを光学セルの第二面に貼り合せて光学表示パネルを製造する製造装置と、
前記請求項６〜１０のいずれか一項に記載の光学表示パネルの連続検査装置と、を備え、
前記製造装置と前記連続検査装置とが前記光学セルおよび光学表示パネルを搬送する一連の搬送装置に配置されている、光学表示パネルの連続製造システム。
【請求項１４】
前記製造装置は、
第一光学フィルムロールから第一長尺光学フィルムを繰り出しながら長尺の第一離型フィルムを残し前記第一長尺光学フィルムを切断して得られる枚葉状の第一光学フィルムを、搬送される前記光学セルの前記第一面に貼り付ける、または、枚葉状の第一光学フィルムを前記光学セルの第一面に貼り付ける、
および／または
第二光学フィルムロールから第二長尺光学フィルムを繰り出しながら長尺の第二離型フィルムを残し前記第二長尺光学フィルムを切断して得られる枚葉状の第二光学フィルムを、前記第一光学フィルムの光軸と前記第二光学フィルムの光軸とが所定の角度配置となるように、搬送される前記光学セルの前記第二面に貼り付ける、または、枚葉状の第二光学フィルムを前記第一光学フィルムの光軸と前記第二光学フィルムの光軸とが所定の角度配置となるように前記光学セルの前記第二面に貼り付ける、請求項１３に記載の光学表示パネルの連続製造システム。
【発明の詳細な説明】
【技術分野】
【０００１】
本発明は、光学表示パネルの連続検査方法および連続検査装置、並びに、光学表示パネルの連続製造方法および連続製造システムに関する。
【背景技術】
【０００２】
特許文献１の検査方法は、液晶表示パネルの一方面から垂直に、搬送装置の幅方向に平行なライン状光を照射し、液晶表示パネルの他方面側に照射方向に対してパネル搬送方向およびその反対方向に所定角度傾斜した位置に対称的に配置された２つの撮像部によって、ライン状光が照射された領域を撮像すること、を開示している。
【先行技術文献】
【特許文献】
【０００３】
【特許文献１】特開２０１２−１９４５０９号公報
【発明の概要】
【発明が解決しようとする課題】
【０００４】
特許文献１の検査方法では、２つの異なる角度から検査領域を撮像する２つの撮像部を備え、２つの撮像部の内一方で、照射方向に対して搬送方向の下流側に強く散乱せずに上流側に強く散乱する異物を検知し、その他方で上流側に強く散乱せずに下流側に強く散乱する異物を検知している。すなわち、搬送方向上流側の第一の撮像部でしか検出できない欠点（異物）と、搬送方向下流側の第二の撮像部でしか検出できない欠点（異物）があったため、撮像部を２つ配置する必要があった。
【０００５】
しかしながら、撮像部を複数配置することで設備コストが上昇する。また、撮像部の光軸を調整する時間も台数に比例して長くなる。撮像した画像データの長時間保存のために要する記憶媒体の容量も台数に比例して増大する。
また、特許文献１の検査方法では２つの撮像部で取得された２つの画像データをそれぞれ画像処理し、それぞれの画像データから得られた欠点位置と座標とを合わせて単一の欠点情報を作成する必要がある。
【０００６】
従って、本発明の目的は、従来よりも撮像部の台数を減らしても、同程度あるいはそれ以上の精度で欠点を検出できる光学表示パネルの連続検査方法およびその連続検査装置を提供することである。
また他の目的は、光学表示パネルを高速搬送しながら高精度に光学的に検査することで良質の光学表示パネルを高速に連続生産することができる光学表示パネルの連続製造システムおよび光学表示パネルの連続製造方法を提供することである。
【課題を解決するための手段】
【０００７】
上記課題を解決するために、鋭意研究を重ねた結果、以下の本発明を完成するに至ったものである。
【０００８】
本発明は、光学機能フィルムを少なくとも有する光学フィルムが両面または片面に設けられている光学表示パネルを搬送している状態で連続的に光学的に検査する光学表示パネルの連続検査方法であって、
前記光学表示パネルの搬送方向（ｄ１）に対し直交方向（ｄ２）である当該光学表示パネルの幅方向と平行な第一ライン状光を照射する第一照射部を用い、当該光学表示パネルの一方面に対して垂直から第一角度（θ１）で搬送方向（ｄ１）上流側に傾斜した方向から、搬送されている当該光学表示パネルのライン検査領域に当該第一ライン状光を照射する第一照射工程と、
前記光学表示パネルの搬送方向（ｄ１）に対し直交方向（ｄ２）である当該光学表示パネルの幅方向と平行な第二ライン状光を照射する第二照射部を用い、当該光学表示パネルの一方面に対して垂直から第二角度（θ２）で搬送方向（ｄ１）下流側に傾斜した方向から、搬送されている当該光学表示パネルの前記ライン検査領域に当該第二ライン状光を照射する第二照射工程と、
前記第一ライン状光および前記第二ライン状光が照射された前記ライン検査領域を、一の撮像部で、前記光学表示パネルの他方面から当該光学表示パネルの幅方向と平行なライン状にかつ連続的に撮像する撮像工程と、を含む。
【０００９】
上記発明において、前記撮像工程は、前記ライン検査領域を、前記光学表示パネルの他方面から当該ライン検査領域に対応した撮像領域が画定されているスリット部を介在させて撮像してもよい。
【００１０】
上記発明において、前記撮像部は、前記光学表示パネルの他方面に対し垂直方向に配置されてもよい。
【００１１】
上記発明において、前記第一照射工程および第二照射工程において、前記第一角度（θ１）と前記第二角度（θ２）が同じ値であり、前記第一ライン状光の照射方向と前記第二ライン状光の照射方向が対称であってもよい。
【００１２】
上記発明において、前記光学フィルムが片面に設けられている光学表示パネルを搬送している状態で連続的に光学的に検査する場合に、前記光学フィルムに含まれる光学機能フィルムの光軸に対応した光軸を有する検査用フィルタを、前記第一、第二照射部と前記一の撮像部との間で、かつ前記光学フィルムが設けられている光学表示パネルの一方面と異なる他方面から所定距離を設けて配置し、撮像を行う。
「所定距離」は、例えば、光学表示パネルの面に接触しない程度の距離が必要であり、パネル搬送部、照明部、撮像部の配置関係を考慮して設定できる。
光学機能フィルムが偏光フィルムを有する場合、検査用フィルタは偏光フィルムを有し、お互いの吸収軸同士が直交する配置関係になるように、検査用フィルタが配置される。
また、検査用フィルタは、固定配置されていてもよく、光学表示パネルの搬送状態に対応して可動できるように構成されていてもよい。
【００１３】
他の発明は、光学機能フィルムを少なくとも有する光学フィルムが両面または片面に設けられている光学表示パネルを搬送している状態で連続的に光学的に検査する光学表示パネルの連続検査装置であって、
前記光学表示パネルの搬送方向（ｄ１）に対し直交方向（ｄ２）である当該光学表示パネルの幅方向と平行な第一ライン状光を、当該光学表示パネルの一方面に対して垂直から第一角度（θ１）で搬送方向(ｄ１)上流側に傾斜した方向から、搬送されている当該光学表示パネルのライン検査領域に照射する第一照射部と、
前記光学表示パネルの搬送方向（ｄ１）に対し直交方向（ｄ２）である当該光学表示パネルの幅方向と平行な第二ライン状光を、当該光学表示パネルの一方面に対して垂直から第二角度（θ２）で搬送方向（ｄ１）下流側に傾斜した方向から、搬送されている当該光学表示パネルの前記ライン検査領域に照射する第二照射部と、
前記第一ライン状光および前記第二ライン状光が照射された前記ライン検査領域を、前記光学表示パネルの他方面から当該光学表示パネルの幅方向と平行なライン状にかつ連続的に撮像する一の撮像部と、を有する。
【００１４】
上記発明において、前記光学表示パネルの他方面側に配置され、かつ前記ライン検査領域に対応した撮像領域が画定されているスリット部をさらに有してもよい。
前記撮像部は、前記スリット部を介在させて撮像してもよい。
【００１５】
本発明において、「一の撮像部」は、単眼の撮像部でもよく、複眼の撮像部でもよい。所定のライン状の撮像領域（フィルム幅方向に平行な一定領域）に対応して、ライン状に配置されたラインセンサカメラ、一直線（一列）に配置された複数の単眼カメラで構成されていてもよい。
【００１６】
上記発明において、前記撮像部は、前記光学表示パネルの他方面に対し垂直方向に配置されてもよい。
【００１７】
上記発明において、前記第一角度（θ１）と前記第二角度（θ２）が同じ値であり、前記第一ライン状光の照射方向と前記第二ライン状光の照射方向が対称であるように前記第一照射部と前記第二照射部が配置されてもよい。
【００１８】
上記発明において、前記光学フィルムが片面に設けられている光学表示パネルを搬送している状態で連続的に光学的に検査する場合に、前記第一、第二照射部と前記一の撮像部との間であって、前記光学フィルムが設けられている光学表示パネルの一方面と異なる他方面と所定距離を設け、かつ前記光学フィルムに含まれる光学機能フィルムの光軸と所定の配置関係となるように設けられる検査用フィルタを、さらに有する。
「所定距離」は、例えば、光学表示パネルの面に接触しない程度の距離が必要であり、パネル搬送部、照明部、撮像部の配置関係を考慮して設定できる。
光学機能フィルムが偏光フィルムを有する場合、検査用フィルタは偏光フィルムを有し、お互いの吸収軸同士が直交する配置関係になるように、検査用フィルタが配置される。
また、検査用フィルタは、固定配置されていてもよく、光学表示パネルの搬送状態に対応して可動できるように構成されていてもよい。
照明部、照明部側に光学フィルムが設けられている光学表示パネル、撮像部の順に配置されている場合、検査用フィルタは光学表示パネルと撮像部との間に配置される。光学表示パネルと撮像部との間にスリット部が配置されている場合に、検査用フィルタは撮像部とスリット部との間、または光学表示パネルとスリット部との間に配置されてもよい。
照明部、撮像部側に光学フィルムが設けられている光学表示パネル、撮像部の順に配置されている場合、検査用フィルタは照明部と光学表示パネルとの間に配置され、照明光は検査用フィルタを通過した光が検査領域に入射するように構成される。
【００１９】
本発明によれば、２つの照明処理と１つの撮像処理を行うだけの簡単な構成で、検査能力を確保しつつ撮像部の台数を削減することができる。
また、搬送方向上流側の撮像部でしか検出できなかった欠点と、その搬送方向下流側の撮像部でしか検出できなかった欠点とを単一の撮像部から得られた画像データを処理することで判定できる。従来のように２つの撮像部で取得された２つの画像データをそれぞれ画像処理して単一の欠点情報を作成する必要もなく、そのための作業、煩雑さを削減できる。
【００２０】
また、本発明において、光学表示パネルの他方面側に配置される前記スリット部は、撮像部からスリット部までの距離（Ｄ２）よりも光学表示パネルの他方面からスリット部までの距離（Ｄ１）が小さくなる（Ｄ１＜Ｄ２）ように、スリット部を配置することが好ましい。
撮像部の近傍よりも光学表示パネルの近傍（例えば、Ｄ１が０ｍｍを超えてから１５０ｍｍ以内、好ましくは１００ｍｍ以内、より好ましくは３０ｍｍ以内）にスリット部を配置することが好ましい。
光学表示パネルの近傍にスリット部を配置することで、光学表示パネルが撮像部の撮像視野に進入または撮像視野から外れる際に、光学表示パネルのエッジ部からの迷光（あるいは反射光）の影響で検査出来なくなることを防止できる。また、撮像部の近傍にスリット部を配置すると、撮像部の受光量そのものが減少あるいは規制されため好ましくない。
【００２１】
他の発明の光学表示パネルの連続製造方法は、光学機能フィルムを少なくとも有する第一光学フィルムを光学セルの第一面に貼り合せ、かつ光学機能フィルムを少なくとも有する第二光学フィルムを光学セルの第二面に貼り合せて光学表示パネルを製造する製造工程と、
前記光学表示パネルの連続検査方法に含まれる工程と、を含み、
前記製造工程と前記連続検査方法に含まれる工程とが前記光学セルおよび光学表示パネルを搬送する一連の搬送装置で行われる。
【００２２】
他の発明の光学表示パネルの連続製造システムは、光学機能フィルムを少なくとも有する第一光学フィルムを光学セルの第一面に貼り合せ、かつ光学機能フィルムを少なくとも有する第二光学フィルムを光学セルの第二面に貼り合せて光学表示パネルを製造する製造装置と、
前記光学表示パネルの連続検査装置と、を備え、
前記製造装置と前記連続検査装置とが前記光学セルおよび光学表示パネルを搬送する一連の搬送装置に配置されている。
【００２３】
上記発明の前記製造工程および製造装置において、
第一光学フィルムロールから第一長尺離型フィルムおよび第一長尺光学フィルムを繰り出しながら前記第一長尺光学フィルムを切断して得られる枚葉状の第一光学フィルムを、搬送される前記光学セルの前記第一面に貼り付ける、または、枚葉状の第一光学フィルムを前記光学セルの第一面に貼り付ける、
および／または
第二光学フィルムロールから第二長尺離型フィルムおよび第二長尺光学フィルムを繰り出しながら前記第二長尺光学フィルムを切断して得られる枚葉状の第二光学フィルムを、前記第一光学フィルムの光軸と前記第二光学フィルムの光軸とが所定の角度配置となるように、搬送される前記光学セルの前記第二面に貼り付ける、または、枚葉状の第二光学フィルムを、枚葉状の第一光学フィルムの光軸と枚葉状の第二光学フィルムの光軸とが所定の角度配置となるように前記光学セルの前記第二面に貼り付けてもよい。
【００２４】
この構成によれば、光学表示パネルを搬送しながら、当該光学表示パネルに対し所定角度に傾斜した２種のライン状光（Ｌ１、Ｌ２）を照射し、当該光学表示パネルを透過した透過光（Ｐ）をライン状にかつ連続的に単一の撮像部で撮像することで、光学表示パネルを高速に搬送しつつ、光学表示パネル全面に亘って光学セルと光学フィルムとの間に混入した異物を鮮明なコントラストで撮像できる。すなわち、光学表示パネルを高速搬送しながら高精度に検査できるため、良質の光学表示パネルを高速に連続生産することができる。
【００２５】
なお、この検査では、光学セルと光学フィルムとの間に混入した異物（例えば、貼り合せ気泡、カレット、糸屑、塵、埃等）だけでなく、汚れなども高精度に検知し得る。
【００２６】
前記第一、第二照射部による第一、第二ライン状光の照射方向がそれぞれ光学表示パネルに対し垂直から所定角度傾斜していることで、一方のライン状光の照射方向に対して搬送方向の下流側に強く散乱せずに上流側に強く散乱する異物と、上流側に強く散乱せずに下流側に強く散乱する異物とを、単一の撮像部で同時に検知できるため、光学表示パネルをより高精度に検査できる。
【００２７】
また、光学表示パネルを高精度に検査する観点から、前記第一角度（θ１）は、垂直から１°〜６０°、好ましくは５°〜４５°、より好ましくは１０°〜３０°である。また、前記第二角度（θ２）は、垂直から１°〜６０°、好ましくは５°〜４５°、より好ましくは１０°〜３０°である。
【００２８】
本発明において、「光学フィルムロール」は、長尺の離型フィルムと、長尺の光学フィルム（粘着剤層、光学機能フィルムおよび表面保護フィルム）がこの順に積層されて、ロール状に構成されている。
「ロール・トゥ・パネル方式」は、光学フィルムロールから繰り出された離型フィルムおよび長尺光学フィルムを、離型フィルムを残しつつ粘着剤層、光学機能フィルム及び表面保護フィルムを幅方向に切断（ハーフカット）し、切断して得られた枚葉状の光学フィルムから長尺の離型フィルムを剥離し、露出した粘着剤層を介して枚葉状の光学フィルムを光学セルに貼り合わせる方式である。
【００２９】
一方、ロール・トゥ・パネル方式とは異なる光学フィルムの貼合方式として、「シート・トゥ・パネル方式」がある。「シート・トゥ・パネル方式」は、予め枚葉状態にしておいた枚葉状の光学フィルムを、枚葉状の離型フィルムまたは長尺の離型フィルムを剥離して露出した粘着剤層を介して光学セルに貼り合わせる方式である。
「切目入り光学フィルムロール」は、長尺の離形フィルムに枚葉状の光学フィルム（粘着剤層、光学機能フィルムおよび表面保護フィルム）が積層されて、ロール状に構成されているロールであるいう。
【図面の簡単な説明】
【００３０】
【図１】光学表示パネルの連続製造システムの一例を示した概略図。
【図２】光学セルに光学フィルムを積層する順序の一例を示した概略図。
【図３】異物を検査する態様を示した概略図。
【図４】検査装置の一例を示した概略図。
【図５】検査装置の処理フローの一例を示したフローチャート。
【図６】検査待機から検査終了までの光学表示パネルの搬送の様子の一例を示した概略図。
【図７Ａ】別実施形態の検査装置の一例を示した概略図。
【図７Ｂ】別実施形態の検査装置の一例を示した概略図。
【発明を実施するための形態】
【００３１】
以下、図１を参照しながら、光学表示パネルの連続製造システムおよび連続製造方法をさらに具体的に説明するが、本発明は本実施形態の態様に限定されるものではない。
【００３２】
（実施形態１）
光学表示パネルは液晶表示パネル、光学セルは液晶セル、光学フィルムは偏光フィルムとして説明する。
【００３３】
液晶表示パネルの連続製造システムは、連続製造装置１００を有する。連続製造装置１００は、第一光学フィルムロールＲ１から第一長尺離型フィルム１２および第一長尺偏光フィルム１１を繰り出しながら、第一長尺偏光フィルム１１を切断加工して得られる第一枚葉状偏光フィルム１１１を液晶セル４の第一面４ａに貼り付ける。また、連続製造装置１００は、第二光学フィルムロールＲ２から第二長尺離型フィルム２２および第二長尺偏光フィルム２１をそれぞれ繰り出しながら、第二長尺偏光フィルム２１を切断加工して得られる第二枚葉状偏光フィルム２１１を、第一枚葉状偏光フィルム１１１の吸収軸と第二枚葉状偏光フィルム２１１の吸収軸とが互いに直交するように、液晶セル４の第二面４ｂに貼り付けて液晶表示パネルＹを製造する。
【００３４】
液晶表示パネルの連続製造システムは、液晶表示パネルＹを搬送しながら光学的に検査する連続検査装置３００を有する。液晶表示パネルの連続製造システムは、連続製造装置１００と連続検査装置３００とが液晶セル４および液晶表示パネルＹを搬送する一連の搬送装置４００に配置されている。
【００３５】
（光学フィルムロール）
長尺偏光フィルムを巻回してなる光学フィルムロールとしては、例えば、（１）離型フィルムと当該離型フィルム上に形成された粘着剤層を含む長尺偏光フィルムとを有する、連続ウエブ形態の長尺光学フィルム積層体をロール状に巻いたものが挙げられる。この場合、液晶表示パネルの連続製造システムは、長尺偏光フィルムから枚葉状の偏光フィルム（シート片）を形成するために、離型フィルムを残して長尺偏光フィルム（粘着剤層を含む）を所定間隔に離型フィルムの送り方向に直交する方向に切断（ハーフカット）する（切込線を入れる）切断装置を有する。
また、光学フィルムロールとして、例えば、（２）離型フィルムと離型フィルム上に離型フィルムの送り方向に直交する方向に切込線を介して互いに隣り合う枚葉状の偏光フィルム（粘着剤層を含む）とを有する長尺光学フィルム積層体をロール状に巻いたもの（いわゆる切目入り偏光フィルムロール）が挙げられる。
【００３６】
図１に示す第一光学フィルムロールＲ１は、第一長尺離型フィルム１２と、第一長尺離型フィルム１２に粘着剤層を介して形成された送り方向（長手方向）に平行な吸収軸を有する第一長尺偏光フィルム（その粘着剤層を含む）１１を有する第一長尺光学フィルム積層体１０をロール状に巻いたものである。
第二光学フィルムロールＲ２は、第二長尺離型フィルム２２と、第二長尺離型フィルム２２に粘着剤層を介して形成された送り方向（長手方向）に平行な吸収軸を有する第二長尺偏光フィルム（その粘着剤層を含む）２１を有する第二長尺光学フィルム積層体２０をロール状に巻いたものである。
【００３７】
第一、第二長尺偏光フィルム１１、２１は、例えば、偏光子（厚さは５〜８０μｍ程度）と、偏光子の片面または両面に偏光子保護フィルム（厚さは一般的に１〜５００μｍ程度）が接着剤または接着剤なしで形成される。
第一、第二長尺偏光フィルム１１、２１を構成する他のフィルムとして、例えば、位相差フィルム（厚さは一般的に１０〜２００μｍ）、視角補償フィルム、輝度向上フィルム、表面保護フィルム等が挙げられる。第一、第二長尺偏光フィルム１１、２１の厚みは、例えば、１０μｍ〜５００μｍの範囲が挙げられる。
【００３８】
第一、第二長尺偏光フィルム１１、２１の粘着剤層を構成する粘着剤は、特に制限されず、例えば、アクリル系粘着剤、シリコーン系粘着剤、ウレタン系粘着剤等が挙げられる。粘着剤層の厚みは、例えば、１０〜５０μｍの範囲が好ましい。第一、第二離型フィルム１２、２２は、例えばプラスチックフィルム（例えば、ポリエチレンテレフタレート系フィルム、ポリオレフィン系フィルム等）等の従来公知のフィルムを用いることができる。また、必要に応じシリコーン系や長鎖アルキル系、フッ素系や硫化モリブデン等の適宜な剥離剤でコート処理したものなどの、従来に準じた適宜なものを用いてもよい。
【００３９】
（液晶表示パネル）
液晶表示パネルＹは、液晶セル４の片面または両面に少なくとも偏光フィルムが形成されたものであり、必要に応じて駆動回路が組込まれる。液晶セル４は、例えば、垂直配向（ＶＡ）型、面内スイッチング（ＩＰＳ）型などの任意なタイプのものを用いることができる。液晶セル４は、対向配置される一対の基板（第１基板４ａ、第２基板４ｂ）間に液晶層が封止された構成である。
【００４０】
（連続製造装置）
連続製造装置１００は、第一離型フィルム搬送装置１０１と、第一貼付部１０２と、第二離型フィルム搬送装置１０３と、第二貼付部１０４とを有する。
【００４１】
第一離型フィルム搬送装置１０１は、第一光学フィルムロールＲ１から第一長尺離型フィルム１２および第一長尺偏光フィルム１１（第一長尺光学フィルム積層体１０）を繰り出しながら第一貼付部１０２へ搬送する。
本実施形態では、第一離型フィルム搬送装置１０１は、第一切断部３１、第一ダンサーロール３２、第一剥離部４１、第一巻取部６１を有する。
【００４２】
第一切断部３１は、第一吸着部３１ａで第一離型フィルム１２側から第一長尺光学フィルム積層体１０を固定しておいて、第一長尺離型フィルムを残しながら第一長尺偏光フィルム（粘着剤層含む）１１をその幅方向に切断し、第一長尺離型フィルム１２上に第一枚葉状偏光フィルム１１１を形成する。
第一切断部３１としては、例えばカッター、レーザー装置などが挙げられる。第一吸着部３１ａとしては、例えば真空ポンプと接続された多数の孔を有し、孔から空気を負圧吸引できる吸着板であってもよい。
【００４３】
第一ダンサーロール３２は、第一長尺離型フィルム１２の張力を保持する機能を有する。
【００４４】
第一剥離部４１は、その先端部で第一長尺離型フィルム１２を内側にして折り返して、第一長尺離型フィルム１２から第一枚葉状偏光フィルム１１１を剥離する。剥離された第一枚葉状偏光フィルム１１１は、第一貼付部１０２に供給される。
本実施形態では、第一剥離部４１としては、その先端部に先鋭ナイフエッジ部を用いているが、これに限定されるものではない。
【００４５】
第一巻取部６１は、第一枚葉状偏光フィルム１１１が剥離された第一長尺離型フィルム１２を巻き取る。第一巻取部６１は、自動回転ローラで構成されてもよい。
【００４６】
第一貼付部１０２は、搬送装置４００により搬送された液晶セル４の上側（第一面４ａ）から、第一剥離部４１により第一長尺離型フィルム１２が剥離された第一枚葉状偏光フィルム１１１を粘着剤層を介して貼り付ける。
本実施形態では、第一貼付部１０２は、第一貼付ローラ５１ａ、第一駆動ローラ５１ｂで構成される。
【００４７】
液晶セル４の他方面（第二面４ｂ）に第二枚葉状偏光フィルム２１１を貼り付けるための各種装置は、上記で説明した各種構成要素、装置等を用いることができる。
第二離型フィルム搬送装置１０３は、第二光学フィルムロールＲ２から第二長尺離型フィルム２２および第二長尺偏光フィルム２１（第二長尺光学フィルム積層体２０）を繰り出しながら第二貼付部１０４へ搬送する。
本実施形態では、第二離型フィルム搬送装置１０３は、第二切断部３３、第二ダンサーロール３４、第二剥離部４２、第二巻取部６２を有する。
第二離型フィルム搬送装置１０３は、第一離型フィルム搬送装置１０１と同様の装置で構成でき、第二貼付部１０４は、第一貼付部１０２と同様の装置で構成できる。
例えば、第二切断部３３および第二吸着部３３ａは、第一切断部３１および第二吸着部３１ａと同様の装置で構成できる。第二ダンサーロール３４は、第一ダンサーロール３２と同様の装置で構成できる。第二巻取部６２は、第一巻取部６１と同様の装置で構成できる。第二貼付ローラ５２ａおよび第二駆動ローラ５２ｂは第一貼付ローラ５１ａおよび第一駆動ローラ５１ｂと同様の機構で構成できる。
【００４８】
（照射部）
連続検査装置３００は、液晶表示パネルＹの搬送方向ｄ１に対し直交方向である液晶表示パネルＹの幅方向ｄ２（図１の紙面垂直方向）と平行な第一ライン状光Ｌ１を、液晶表示パネルＹの一方面（図１において第一面４ａ）に対して垂直から第一角度θ１で搬送方向上流側に傾斜した方向から、搬送されている液晶表示パネルＹのライン検査領域Ｅ（図３参照）に照射する第一照射部３１１を有する。
【００４９】
また、連続検査装置３００は、液晶表示パネルＹの搬送方向ｄ１に対し直交方向ｄ２である液晶表示パネルＹの幅方向と平行な第二ライン状光Ｌ２を、液晶表示パネルＹの一方面（図１において第一面４ａ）に対して垂直から第二角度θ２で搬送方向下流側に傾斜した方向から、搬送されている液晶表示パネルＹのライン検査領域Ｅに照射する第二照射部３１２を有する。
【００５０】
本実施形態では、第一角度θ１と第二角度θ２が同じ値であり、１７°に設定される。また、本実施形態では、第一ライン状光Ｌ１の照射方向と第二ライン状光Ｌ２の照射方向とが対称となるよう第一照射部３１１と第二照射部３１２が配置される。第一角度θ１と第二角度θ２が、１７°に限定されず、５°〜３０°、好ましくは１０°〜３０°であってもよい。
【００５１】
第一、第二照射部３１１、３１２は、直進性の第一、第二ライン状光Ｌ１、Ｌ２を照射するものであれは特に制限されず、例えばハロゲンランプ、メタルハライトランプ、ＬＥＤライン照明等が挙げられる。なお、第一、第二ライン状光Ｌ１、Ｌ２は、搬送装置４００の幅方向ｄ２にライン状に延びる光であり、第一、第二ライン状光Ｌ１、Ｌ２の短手方向（搬送装置４００の搬送方向ｄ１に平行な方向）の幅が液晶表示パネルＹの搬送方向長さよりも短い。また、第一、第二照射部３１１、３１２は、第一、第二ライン状光Ｌ１、Ｌ２の短手方向の幅をすぼめるためのレンズ部を備えていてもよい。レンズ部としては、例えば、第一、第二ライン状光Ｌ１、Ｌ２の長手方向に沿って形成された丸棒状のレンズが挙げられる。第一、第二ライン状光Ｌ１、Ｌ２の短手方向の幅をすぼめて集光させることは、強度の高い光を液晶表示パネル面に照射でき、小面積の画像データによりデータ処理容量を抑えることで演算処理時間を短縮化でき（より高速化でき）、高い検査精度を得られる点で好ましい。なお、第一、第二照射部３１１、３１２と搬送装置４００との距離は、液晶表示パネルＹの種類、サイズ、搬送速度などによって適宜調整される。
【００５２】
（撮像部）
連続検査装置３００は、第一ライン状光Ｌ１および第二ライン状光Ｌ２が照射されたライン検査領域Ｅを、液晶表示パネルＹの他方面（図１において第二面４ｂ）から液晶表示パネルＹの幅方向（搬送方向ｄ１に対し直交する方向ｄ２）と平行なライン状にかつ連続的に撮像する一の撮像部３１６を有する。一の撮像部３１６は、例えば、ライン状に配列された１または１以上のＣＣＤカメラ、ＣＭＯＳセンサカメラ、ラインセンサカメラ等の光学カメラが挙げられる。一の撮像部３１６は、２つのライン状光で照射された一つのライン状であるライン検査領域Ｅに対応した一つのライン状領域を撮像する構成であり、本実施形態では、４つのＣＣＤカメラを一直線に配置して構成している。
本実施形態において、一の撮像部３１６は、液晶表示パネルＹの他方面（第二面４ｂ）に対し垂直方向に配置される。
また、別実施形態として、一の撮像部３１６は、液晶表示パネルＹの他方面（第二面４ｂ）に対して垂直軸から第三角度に傾斜して配置されてもよい。第三角度は、垂直軸から例えば、０°を超えて３０°以下が例示される。
【００５３】
連続検査装置３００は、液晶表示パネルＹの他方面（第二面４ｂ）側に配置され、かつライン検査領域Ｅに対応した撮像領域３１４ａが画定されているスリット部３１４を有する。第一、第二照射部３１１、３１２、撮像部３１６およびスリット部３１４のそれぞれの配置は搬送装置４００に対して固定されており、撮像部３１６は、スリット部３１４の撮像領域３１４ａを通過した透過光Ｐ（透過光像）を撮像する。
撮像部３１６からスリット部３１４までの距離Ｄ２よりも液晶表示パネルＹの他方面（第二面２ｂ）からスリット部３１４までの距離Ｄ１が小さくなる（Ｄ１＜Ｄ２）ように、スリット部３１４が配置される。
本実施形態では、スリット部３１４は、液晶表示パネルＹの近傍（例えば、Ｄ１が１０ｍｍ〜５０ｍｍ以内）に配置される。
【００５４】
また、別実施形態として、検査時の液晶表示パネルＹの状態に応じて、第一、第二光照射部３１１、３１２を搬送装置４００の上側に配置し、一の撮像部３１６およびスリット部３１４を搬送装置４００の下側に配置することも可能である。
【００５５】
本実施形態では、液晶セル４と第一枚葉状偏光フィルム１１１または第二枚葉状偏光フィルム２１１との間に異物がある場合に、図３に示すように、一の撮像部３１６が、スリット部３１４を介在させた状態で撮像領域３１４ａを通過した、異物によって散乱された光を選択的に撮像できる。よって、一の撮像部３１６は、異物を鮮明なコントラストで撮像することができる。
【００５６】
（搬送装置）
搬送装置４００は、液晶セル４、液晶セル４の両面に第１、第２枚葉状偏光フィルム１１１、２１１を貼り付けた液晶表示パネルＹを搬送する一連の搬送装置である。この搬送装置４００は、例えば、搬送ローラ７０、吸着プレート等を有して構成される。本実施形態では、搬送装置４００には、第１枚葉状偏光フィルム１１１が貼り付けられた液晶セル４を９０°水平回転させる旋回機構と、第１枚葉状偏光フィルム１１１が貼り付けられた液晶セル４を上下反転させる反転機構が備えられている。また、搬送装置４００は、検査装置３００による検査の間、液晶表示パネルＹを搬送する。
【００５７】
（検査フロー）
本実施形態では、撮像部３１６を用いて取得した画像データに基づいて、液晶表示パネルＹが良品か不良品かを判定する。そのために、検査装置３００は、図４に示すように、画像処理部３１７、メモリ３０２、画像集計処理／画像組立部３０３、良／不良判定部３０１を有する。図４〜６を参照しながら説明する。
【００５８】
まず、制御部（不図示）は、搬送装置４００を制御して、液晶表示パネルＹを検査待機位置で一旦停止させる（図６（ａ）参照）。
次に、制御部は、搬送装置４００および検査装置３００を制御して、液晶表示パネルＹの搬送を開始し（ステップＳ１）、検査装置３００による検査を開始する（ステップＳ２）。
【００５９】
この検査では、検査開始から検査終了まででは、制御部は、搬送装置４００を制御して、液晶表示パネルＹを搬送方向ｄ１に搬送し続ける。また、この間、制御部は、検査装置３００を制御して、第一、第二照射部３１１、３１２が液晶表示パネルＹに第一、第二ライン状光Ｌ１、Ｌ２を照射し、撮像部３１６が液晶表示パネルＹの第一、第二ライン状光Ｌ１、Ｌ２が照射され、スリット部３１４の撮像領域３１４ａを通過した透過光Ｐをライン状に撮像する。
撮像部３１６で取得されたライン状撮像データは、画像処理部３１７で画像処理され、画像処理されたライン状画像データはメモリ３０２に記憶される（ステップＳ３、Ｓ４。図６（ｂ）は検査途中の状態を示す。）。この処理は、図５に示すように、制御部（不図示）は、搬送装置４００を制御して、液晶表示パネルＹを検査終了位置に搬送するまで（図６（ｃ）参照）、順次行われる。
【００６０】
次いで、画像集計処理／画像組立部３０３は、画像処理部３１７で画像処理されたライン状画像データをメモリ３０２から読み出し、画像集計処理をして、液晶表示パネルＹの全体画像データを作成する（ステップ５）。次に全体画像データはメモリ３０２に記憶される（ステップ６）。
【００６１】
次いで、良／不良判定部３０１は、メモリ３０２から全体画像データを読み出し、全体画像データに基づいて液晶表示パネルＹの良／不良を判定する（ステップＳ７）。ここで、良／不良判定部３０１が、液晶表示パネルＹを良品と判定した場合には、良品との判定結果が液晶表示パネルＹの識別情報などと関連付けられた形でメモリ３０２に記憶される（ステップＳ９）。液晶表示パネルＹは、搬送装置４００によって良品ポートへ搬送される。
一方、ステップＳ７において、良／不良判定部３０１が、液晶表示パネルＹを不良と判定した場合には、不良品として判定された結果が液晶表示パネルＹの識別情報などと関連付けられた形でメモリ３０２に記憶される（ステップＳ１０）。液晶表示パネルＹは、搬送装置４００によって不良品ポートへ搬送される。
【００６２】
制御部（不図示）は、プロセッサーとメモリを有し、制御手順を示すプログラムがメモリに記憶され、プロセッサーがそのプログラムを実行する構成でもよく、専用回路あるいはファームウエアの構成でもよい。
画像処理部、画像集計処理／画像組立部、良／不良判定部は、プロセッサーとメモリを有し、処理手順を示すプログラムがメモリに記憶され、プロセッサーがそのプログラムを実行する構成でもよく、専用回路あるいはファームウエアが実行する構成でもよい。
【００６３】
（液晶表示パネルの連続検査方法）
液晶表示パネルの連続検査方法は、光学機能フィルム（例えば偏光フィルム）を少なくとも有する光学フィルムが両面または片面に設けられている液晶表示パネルを搬送している状態で連続的に光学的に検査する。液晶表示パネルの連続検査方法は、上記連続検査装置を好適に用いることができる。
液晶表示パネルの連続検査方法は、液晶表示パネルの搬送方向に対し直交方向である当該液晶表示パネルの幅方向と平行な第一ライン状光を照射する第一照射部を用い、当該液晶表示パネルの一方面に対して垂直から第一角度（θ１）で搬送方向上流側に傾斜した方向から、搬送されている当該光学表示パネルのライン検査領域に当該第一ライン状光を照射する第一照射工程と、
液晶表示パネルの搬送方向に対し直交方向である当該液晶表示パネルの幅方向と平行な第二ライン状光を照射する第二照射部を用い、当該液晶表示パネルの一方面に対して垂直から第二角度（θ２）で搬送方向下流側に傾斜した方向から、搬送されている当該液晶表示パネルの前記ライン検査領域に当該第二ライン状光を照射する第二照射工程と、
第一ライン状光および第二ライン状光が照射されたライン検査領域を、一の撮像部で、液晶表示パネルの他方面から当該光学表示パネルの幅方向と平行なライン状にかつ連続的に撮像する撮像工程と、を含む。
【００６４】
撮像工程は、ライン検査領域を、液晶表示パネルの他方面から当該ライン検査領域に対応した撮像領域が画定されているスリット部を介在させて撮像されてもよい。
撮像部は、液晶表示パネルの他方面に対し垂直方向に配置されてもよい。
第一照射工程および第二照射工程において、第一角度（θ１）と第二角度（θ２）が同じ値であり、第一ライン状光の照射方向と第二ライン状光の照射方向が対称であってもよい。
【００６５】
（液晶表示パネルの連続製造方法）
液晶表示パネルの連続製造方法は、光学機能フィルム（例えば偏光フィルム）を少なくとも有する第一光学フィルムを光学セルの第一面に貼り合せ、かつ光学機能フィルム（例えば偏光フィルム）を少なくとも有する第二光学フィルムを光学セルの第二面に貼り合せて液晶表示パネルを製造する製造工程と、液晶表示パネルの連続検査方法に含まれる工程と、を含み、製造工程と上述の連続検査方法に含まれる工程とが液晶セルおよび液晶表示パネルを搬送する一連の搬送装置で行われる。
【００６６】
（別実施形態）
本実施形態では、液晶セル４の上側から第一枚葉状偏光フィルム１１１を貼り付けて、次いで、第１枚葉状偏光フィルム１１１を貼り付けた液晶セル４を反転（裏表反転、必要に応じて９０°旋回）させて、当該液晶セル４の上側から第二枚葉状偏光フィルム２１１を貼り付けている。しかし、液晶セル４の下側から第一枚葉状偏光フィルムを貼り付け、液晶セル４を反転させて、液晶セル４の下側から第二枚葉状偏光フィルムを貼り付けてもよく、液晶セルの上側から第一枚葉状偏光フィルムを貼り付け、液晶セルを反転させないで、液晶セルの下側から第二枚葉状偏光フィルムを貼り付けてもよく、液晶セルの下側から第一枚葉状偏光フィルムを貼り付け、液晶セルを反転させないで、液晶セルの上側から第二枚葉状偏光フィルムを貼り付けてもよい。また、液晶セルの上側および下側から第一枚葉状偏光フィルムおよび第二枚葉状偏光フィルムを同時に貼り付けてもよい。
【００６７】
また、本実施形態では、光学セルの両面に光学フィルムを貼りつける構成を例示したが、光学セルの片面に光学フィルムを貼り、その後に本発明の連続検査を実行してもよい。図７Ａ、７Ｂに液晶セルの片面に偏光フィルムを貼りつけた後で、検査する構成を例示する。
図７Ａは、照明部３１１、３１２、検査用フィルタ３２１、撮像部側に偏光フィルム１１１が設けられている液晶表示パネルＹ、スリット部３１４、撮像部３１６の順に配置されている。検査用フィルタ３２１は、固定されていてもよく、検査時にのみ移動可能に構成されていてもよい。
図７Ｂは、照明部３１１、３１２、照明部側に偏光フィルム１１１が設けられている液晶表示パネルＹ、スリット部３１４、検査用フィルタ３２２、撮像部３１６の順に配置されている。検査用フィルタ３２２は、固定されていてもよく、検査時にのみ移動可能に構成されていてもよい。検査用フィルタは液晶表示パネルＹとスリット部３１４との間に配置されていてもよい。
図７Ａの検査装置は、第一貼付部１０２の下流に配置され検査を実行してもよい。図７Ｂの検査装置は、９０°旋回上下反転手段より下流に配置され検査を実行してもよい。
図７Ａ、７Ｂにおいて、照明部が搬送装置４００の上側、撮像部が搬送装置４００の下側に配置されてもよい。
【００６８】
また、本実施形態では、いわゆる「ロール・トゥ・パネル方式」で光学セルの両面に光学フィルムを貼りつける構成を例示したが、これに制限されず、「シート・トゥ・パネル方式」で光学セルの両面に光学セルを貼り付けてもよく、光学セルの一方面を「ロール・トゥ・パネル方式」で、他方面を「シート・トゥ・パネル方式」でそれぞれ光学フィルムを貼り付けてもよい。
【００６９】
また、本実施形態では、光学フィルムロールを用いたが、ロール状の光学フィルムの構成はこれに限定されず、いわゆる「切目入り光学フィルムロール」を用いてもよい。
【００７０】
また、本実施形態では、光学フィルムロールから繰り出された長尺偏光フィルムを所定間隔で切断するものであったが、本発明はとくにこの構成に制限されない。例えば、光学フィルムロールから繰り出された長尺偏光フィルムを欠点検査し、当該検査結果に基づいて欠点を避けるように切断（いわゆるスキップカット）してもよい。また、長尺偏光フィルムに予め付された欠点情報または欠点位置に付されたマークを読み取り、当該欠点情報またはマークに基づいて欠点を避けるように切断してもよい。
【００７１】
また、本実施形態では、長尺偏光フィルムが長手方向に平行な吸収軸を有するが、長尺偏光フィルムの吸収軸方向はこれに限定されない。例えば、第一長尺偏光フィルムがその短手方向（幅方向）に平行な吸収軸を有し、第二長尺偏光フィルムがその長手方向に平行な吸収軸を有していてもよい。この場合、第一偏光フィルムが貼り付けられた液晶セルを９０°水平回転させる旋回機構を適宜省略することができる。
【００７２】
また、本実施形態では、光学セルとして液晶セルを例示したがこれに限定されず、光学セルは有機ＥＬセルでもよい。
有機ＥＬセルは、一対の電極間に電界発光層が挟持された構成である。有機ＥＬセルは、例えば、トップエミッション方式、ボトムエミッション方式、ダブルエミッション方式などの任意のタイプのものを用いることができる。有機ＥＬ表示パネルは、有機ＥＬセルの片面または両面に偏光フィルムが貼り合わされたものであり、必要に応じて駆動回路が組込まれる。
【００７３】
（実施例）
実施例は、実施形態１（図３〜６）に係る装置を用いた。比較例は、光照射部を液晶表示パネルの一方面に対し垂直方向に配置し、撮像部をその他方面に対し垂直方向に配置した検査装置を用いた。参考例は、特願２０１１−６０３３５（特開２０１２−１９４５０９）に係る装置（図４〜６）を用いた。
実施例では、光照射部を第一角度θ１と第二角度θ２が同じ値の１７°になるように配置し、撮像部を液晶表示パネルに対して垂直に方向に配置した。スリット部を液晶表示パネルＹの他方面（第二面２ｂ）から２０ｍｍ（距離Ｄ１）の位置に配置した。
参考例では、光照射部を液晶表示パネルに対して垂直方向に配置し、撮像部をライン状光の照射方向に対して３０°傾斜して配置した。
予め欠点が判明している液晶表示パネルを２００枚（n＝２００）を搬送させながら検査を実施した。欠点のある液晶表示パネルを見逃した枚数は、実施例および参考例とも０枚であったが比較例では１５枚であった。このことから、従来よりも撮像部を減らしても同程度あるいはそれ以上の精度で欠点を検出できることが確かめられた。
【符号の説明】
【００７４】
３１１    第一照射部
３１２    第二照射部
３１４    スリット部
３１６    一の撮像部
【図１】
2019120848.tif 000003
【図２】
2019120848.tif 000004
【図３】
2019120848.tif 000005
【図４】
2019120848.tif 000006
【図５】
2019120848.tif 000007
【図６】
2019120848.tif 000008
【図７Ａ】
2019120848.tif 000009
【図７Ｂ】
2019120848.tif 000010